(57)【要約】【課題】本発明は、ファクシミリ装置がオフフックした直後に残留ＣＩにより過電流保護機能が働くことも無くなり、受信時のオフフック失敗を防止できるファクシミリ装置を提供する。【解決手段】回線捕捉したときに過電流を検知して回線を開放する過電流保護機能を有するファクシミリ装置において、呼出信号を検知すると、過電流保護機能を働かないよう制御した後でオフフックを行い、呼出信号を検知していない状態では、過電流保護機能を働くよう制御する。【選択図】図７
2015149606.tif 000002
【特許請求の範囲】
【請求項１】
回線捕捉したときに過電流を検知して回線を開放する過電流保護機能を有するファクシミリ装置において、
呼出信号を検知すると、前記過電流保護機能を働かないよう制御した後でオフフックを行い、呼出信号を検知していない状態では、前記過電流保護機能を働くよう制御する制御手段を備えることを特徴とするファクシミリ装置。
【請求項２】
回線捕捉したときに過電流を検知して回線を開放する過電流保護機能を有するファクシミリ装置において、
予め前記過電流保護機能を働かないよう制御し、呼出信号以外のオフフック要因を検知した場合に前記過電流保護機能を働くよう制御した後にオフフックを行う制御手段を備えることを特徴とするファクシミリ装置。
【請求項３】
回線捕捉したときに過電流を検知して回線を開放する過電流保護機能を有するファクシミリ装置において、
予め前記過電流保護機能を働くよう制御し、呼出信号を検知すると前記過電流保護機能を働かないよう制御した後にオフフックを行う制御手段を備えることを特徴とするファクシミリ装置。
【請求項４】
前記制御手段は、前記呼出信号によりオフフック要因を検知した場合に前記過電流保護機能を働かないよう制御した後にオフフックを行い、呼出信号以外のオフフック要因を検知した場合に前記過電流保護機能を働くよう制御した後にオフフックを行うことを特徴とする請求項１乃至３のいずれか１項に記載のファクシミリ装置。
【請求項５】
回線捕捉したときに直流捕捉回路に流れる過電流を検知する検知手段をさらに備えることを特徴とする請求項１乃至４のいずれか１項に記載のファクシミリ装置。
【請求項６】
前記検知手段により過電流を検知するためのしきい値を書き換え可能にすることを特徴とする請求項５に記載のファクシミリ装置。
【請求項７】
前記呼出信号以外のオフフック要因は、ユーザからの送信指示あるいはユーザからのオフフック指示を検知したことを特徴とする請求項２に記載のファクシミリ装置。
【請求項８】
回線捕捉したときに過電流を検知して回線を開放する過電流保護機能を有するファクシミリ装置の制御方法において、
呼出信号を検知すると、前記過電流保護機能を働かないよう制御した後でオフフックを行い、呼出信号を検知していない状態では、前記過電流保護機能を働くよう制御する制御工程を備えることを特徴とする制御方法。
【請求項９】
回線捕捉したときに過電流を検知して回線を開放する過電流保護機能を有するファクシミリ装置の制御方法において、
予め前記過電流保護機能を働かないよう制御し、呼出信号以外のオフフック要因を検知した場合に前記過電流保護機能を働くよう制御した後にオフフックを行う制御手段を備えることを特徴とする制御方法。
【請求項１０】
回線捕捉したときに過電流を検知して回線を開放する過電流保護機能を有するファクシミリ装置の制御方法において、
予め前記過電流保護機能を働くよう制御し、呼出信号を検知すると前記過電流保護機能を働かないよう制御した後にオフフックを行う制御手段を備えることを特徴とする制御方法。
【請求項１１】
請求項８乃至１０のいずれか１項に記載の制御方法をファクシミリ装置に実行させるためのコンピュータに読み取り可能なプログラム。
【発明の詳細な説明】
【技術分野】
【０００１】
本発明は、ファクシミリ装置及びその制御方法、並びにプログラムに関し、特に、回線捕捉時に過電流を検知して回線を開放する過電流保護機能を有するファクシミリ装置及びその制御方法、並びにプログラムに関する。
【背景技術】
【０００２】
１つ以上の外線電話回線を契約し、オフィス等に配置された複数の専用電話機（以下、「ビジネスホン端末」とも呼ぶ）から空いている外線電話回線に効率的に接続するビジネスホンシステムが普及している。ビジネスホンシステムでは、複数のビジネスホン端末がビジネスホンシステム主装置に接続され、該主装置が外線電話回線に接続されている。
【０００３】
ビジネスホン端末とビジネスホンシステム主装置を接続するインターフェース（以下、「ＩＦ」とも呼ぶ）はメーカーの独自仕様となっている。それは一般公衆回線（以下、「ＰＳＴＮ」（Ｐｕｂｌｉｃ  Ｓｗｉｔｃｈｅｄ  Ｔｅｌｅｐｈｏｎｅ  Ｎｅｔｗｏｒｋ）とも呼ぶ）用電話機の仕様とは異なっている。近年では、２芯のインターフェースケーブルで電源供給とデジタル信号伝送を兼用しているＩＦがある。
【０００４】
ビジネスホンシステム主装置には、ビジネスホン端末用のＩＦのほかに、ＰＳＴＮ用の電話機あるいはファクシミリ（以下、「ＦＡＸ」とも呼ぶ）装置を接続するためのＩＦが設けられているものもある。このＰＳＴＮ用の電話機あるいはファクシミリ装置を接続するためのＩＦは、ＲＪ１１という一般的な電話機用のモジュラージャックコネクタが使用されている。一方、ビジネスホン端末用のＩＦにも、このＲＪ１１という一般的なコネクタが使用され、同じ信号ピンが使用されているものも存在する。そのため、ＰＳＴＮ用の電話機やファクシミリ装置が、ビジネスホン端末用のＩＦに誤って接続される可能性がある。
【０００５】
ところで、日本国内のＰＳＴＮの交換機では、４８Ｖ程度の直流電圧で供給されるが、電話機を５０〜３００Ωの抵抗で閉結した場合、１５〜１３０ｍＡ程度の電流しか流れない。これに対してビジネスホン端末用の電源では、５０Ｖ程度の直流電圧が定電圧で供給され、その内部抵抗が１０Ω程度しかないため、ＰＳＴＮの交換機よりも電流供給能力が大きい。計算上３００Ωの抵抗で閉結すると、約１６１ｍＡ（＝５０Ｖ／３１０Ω）、さらに低い抵抗値で閉結するともっと大きな電流が流れることになる。そのため、ＰＳＴＮ用の電話機やファクシミリ装置がビジネスホン端末用のＩＦに誤接続された場合、許容するこができない過度の電流が装置に供給され続けて、ＰＳＴＮ用の電話機やファクシミリ装置が故障する可能性がある。
【０００６】
そうした背景から、誤接続による故障を回避して装置を保護するために、誤接続を検知して誤接続されたＩＦと切断する保護機能を持った装置が存在する。例えば、ＰＳＴＮが接続されるべき回線端子と負荷との間に保護機能を設けた回線閉結スイッチ保護装置が開示されている（特許文献１参照）。これはＰＳＴＮに接続する半導体素子からなる回線閉結スイッチを保護するものである。この回線閉結スイッチ保護装置では、回線閉結スイッチの負荷側端の電圧や電流が所定時間の間、継続して所定値以上にあることを検知すると、閉成状態にある回線閉結スイッチを開成することで回線閉結スイッチを保護することができる。
【０００７】
上記保護機能は、許容することができない過電圧や過電流が装置に実際に加わり異常を検知した後、回線閉結スイッチを開成（すなわち直流捕捉を停止（オンフック））するというものである。一方、例えば、ＦＡＸのモデムと付随する回路にて回線電流を監視して、このモデムに設定されたしきい値を超えた場合に過電流として検知し、過電流に対する保護を早期に行うために、オフフック時に過電流を短時間検知するとオンフックするものもある。
【先行技術文献】
【特許文献】
【０００８】
【特許文献１】特開２００６−１４１３４号公報
【発明の概要】
【発明が解決しようとする課題】
【０００９】
ＰＳＴＮの交換機とファクシミリ装置を接続した場合、上述した過電流に対する保護機能が働く必要はない。
【００１０】
しかしながら、世の中には様々なタイプのＰＳＴＮ交換機が出回っており、ＰＳＴＮ交換機が呼出信号（以下、「ＣＩ信号」と呼ぶ）を送出した後に、直流捕捉を検知してからＣＩ信号を停止するまでの時間が遅い場合（例えば数百ｍｓ）がある。これは、いわゆるＰＳＴＮ交換機の残留ＣＩである。
【００１１】
ファクシミリ装置がオフフックした直後、ファクシミリ装置側は低インピーダンスなので、もし残留ＣＩが長く残ってしまうと回線電流がＦＡＸモデムに設定されたしきい値を超えてしまう時間が長くなる。すると残留ＣＩにより過電流保護機能が作動してしまい回線を開放するので、ファクシミリ受信に毎回失敗することが考えられる。
【００１２】
本発明は、上記問題に鑑みて成されたものであり、オフフック直後の残留ＣＩによる過電流保護機能の作動がなくなり、ファクシミリ受信の失敗を防止できる技術を提供することを目的とする。
【課題を解決するための手段】
【００１３】
上記目的を達成するために、本発明のファクシミリ装置は、回線捕捉したときに過電流を検知して回線を開放する過電流保護機能を有するファクシミリ装置において、呼出信号を検知すると、前記過電流保護機能を働かないよう制御した後でオフフックを行い、呼出信号を検知していない状態では、前記過電流保護機能を働くよう制御する制御手段を備えることを特徴とする。
【発明の効果】
【００１４】
本発明によれば、オフフック直後の残留ＣＩによる過電流保護機能の作動がなくなり、ファクシミリ受信の失敗を防止することができる。
【図面の簡単な説明】
【００１５】
【図１】本発明の第１の実施形態に係るファクシミリ装置の概略構成を示すブロック図である。
【図２】図１における直流捕捉回路の概略構成を示すブロック図である。
【図３】図１におけるレジスタに格納される情報の一例を示す図である。
【図４】第１の実施形態におけるＳＯＣによる制御処理の流れを示すフローチャートである。
【図５】ＰＳＴＮ交換機の残留ＣＩが所定時間以上残っても回線捕捉に成功したときの回線電圧波形の一例を示す図である。
【図６】（ａ）ビジネスホンシステム主装置に対する誤接続時に送信またはオフフック動作で過電流保護機能が働いたときの回線電圧波形の一例を示す図、（ｂ）ＰＳＴＮ交換機接続時に送信またはフック動作で回線捕捉に成功したときの回線電圧波形の一例を示す図である。
【図７】ＤＳＰの過電流検知処理の流れを示すフローチャートである。
【図８】本発明の第２の実施形態におけるＳＯＣによる制御処理の流れを示すフローチャートである。
【図９】本発明の第３の実施形態におけるＳＯＣによる制御処理の流れを示すフローチャートである。
【図１０】本発明の第４の実施形態に係るファクシミリ装置の概略構成を示すブロック図である。
【図１１】従来のビジネスホンシステムの概略構成を示すブロック図である。
【図１２】（ａ）従来のＰＳＴＮ交換機の残留ＣＩにより過電流保護機能が働いて回線捕捉が失敗したときの回線電圧波形の一例を示す図、（ｂ）従来のＰＳＴＮ交換機の残留ＣＩにより過電流保護機能が働いて回線捕捉が失敗したときの回線電流波形の一例を示す図である。
【発明を実施するための形態】
【００１６】
以下、本発明の実施の形態を図面を参照して詳細に説明する。
【００１７】
［第１の実施形態］
図１は、本発明の第１の実施形態に係るファクシミリ装置の概略構成を示すブロック図である。
【００１８】
ファクシミリ装置１００は、図１に示す各部を備える。
【００１９】
システム・オン・チップ（ＳＯＣ）１０１はＣＰＵ２００を備え、ＣＰＵ２００がメモリ１４０から読み出したプログラムを展開して実行することで装置全体を制御する。なお、ＳＯＣ１０１には、不図示のバスコントローラやメモリコントローラ、各種ＩＦ、ＧＰＩＯ（Ｇｅｎｅｒａｌ  Ｐｕｒｐｏｓｅ  Ｉｎｐｕｔ  Ｏｕｔｐｕｔ）ポート、画像処理部等が内蔵されている。
【００２０】
ＳＯＣ１０１に接続されたメモリ１４０は主記憶装置であり、ＣＰＵ２００のシステムワークメモリとして機能し、後述する処理を実行するための制御プログラムやＳＤＡＡプログラム２０２を格納する。また、メモリ１４０は、ファクシミリ送受信等の際に、画像データや各種情報を一時的に格納するメモリとしても機能する。さらに、メモリ１４０は、不図示のＨＤＤ（Ｈａｒｄ  Ｄｉｓｋ  Ｄｒｉｖｅ）やフラッシュメモリなどの不揮発性メモリを備え、ユーザにより設定された情報等が格納される。
【００２１】
ＳＤＡＡプログラム２０２は、ＳＯＣ１０１を介してモデム１０２に転送され、ＲＡＭ２０４に展開された後に、ＤＳＰ２０５で実行されるプログラムである。
【００２２】
ＳＯＣ１０１には、操作パネル１１８、読取部１２１、記録部１２２、インターフェース（ＩＦ）部１２３が接続されている。操作パネル１１８は、ユーザーインタフェース（ＵＩ）として機能する表示器１１９やキーボード類（ＫＥＹ）１２０を備える。
【００２３】
表示器１１９は、ファクシミリ装置１００の状態やメニューに関する表示を行う表示部である。また、キーボード類１２０は、ユーザからの各種の指示の入力を受け付けるボタンやテンキー等の操作部である。ユーザがキーボード類１２０を用いてユーザ設定情報を入力することが可能である。
【００２４】
読取部１２１は、原稿から画像を読み取って画像データを生成する。生成された画像データは、通信回線（ＰＳＴＮ）１３０を介して相手側装置（例えばファクシミリ装置（相手ＦＡＸ）２２０）に対してファクシミリ送信されるか、記録部１２２にて印刷出力される。インターフェース（ＩＦ）部１２３は、各種の情報機器を外部から接続するためのインターフェースとして機能する。
【００２５】
モデム１０２は、ＳＯＣ１０１に接続されており、ＳＯＣ１０１による制御に基づいて動作する変復調器である。また、モデム１０２は、ファクシミリ送信の対象となる画像データの変調処理と、通信回線１３０を介して受信した信号の復調処理を行う。さらに、モデム１０２は、絶縁素子１０３を介してＳＤＡＡ（シリコン・データ・アクセス・アレンジメント）１０４と接続されている。
【００２６】
モデム１０２は、ＲＯＭ２０３、ＲＡＭ２０４、ＤＳＰ２０５、及びレジスタ２０６を備える。
【００２７】
ＲＯＭ２０３は、ＲＡＭ２０４に展開され、ＤＳＰ２０５により実行されるプログラムを格納するメモリである。ＲＡＭ２０４は、ＳＯＣ１０１から転送されたＳＤＡＡプログラム２０２とＲＯＭ２０３に格納されたプログラムを展開するためのメモリである。
【００２８】
ＤＳＰ２０５は、ＳＯＣ１０１から転送されるＳＤＡＡプログラム２０２をＲＡＭ２０４へ展開し、レジスタ２０６に格納された情報を利用し、ＲＡＭ２０４に展開されたプログラムに基づいてモデム１０２の動作を制御する。
【００２９】
レジスタ２０６には、ＳＤＡＡ１０４の状態を示す情報が格納されたり、あるいはＳＯＣ１０１からの指示を示す情報が格納される。なお、レジスタ２０６に格納される情報の詳細については後述する。
【００３０】
絶縁素子１０３に接続されたＳＤＡＡ１０４は、半導体ＮＣＵ（ネットワーク制御ユニット）であって、ファクシミリ装置１００と外部の通信回線１３０とのインターフェースとして機能する網制御装置である。また、ＳＤＡＡ１０４は、通信回線１３０を介して相手側装置との間で通信を行う際に、回線の接続（捕捉）状態を制御する。
【００３１】
ファクシミリ装置１００には、外付け電話機１２８も接続することができる。外付け電話機１２８は、Ｈリレー１１０を介して通信回線１３０に接続することができる。
【００３２】
ＳＤＡＡ１０４は、外付け電話機１２８と並列に通信回線１３０に接続されており、ファクシミリ送受信を行う場合には、回線を捕捉してその通信を制御する。外付け電話機１２８が通信回線１３０を介して相手側装置との間で音声通信を行う場合に、ＳＤＡＡ１０４は回線の捕捉状態を監視する。ＳＤＡＡ１０４は、これらの制御をＳＯＣ１０１の制御に基づいて実行する。
【００３３】
ＳＤＡＡ１０４は、回線捕捉部１０５を使用して回線の直流捕捉状態を制御する。この回線捕捉部１０５により直流捕捉する場合の直流インピーダンスは可変である。この直流インピーダンスは、予め設定された、直流的な電圧に対する電流特性（以下、「ＤＣ−ＶＩ特性」とも呼ぶ）により制御されることで得られる。
【００３４】
電圧検知部１５０は、回線間の電圧をモニタする機能を有する。電流検知部１５１は、回線電流をモニタする機能を有する。ＡＣフィルタ部２０１は、電圧検知部１５０あるいは電流検知部１５１の前段に接続される。
【００３５】
ＡＣフィルタ部２０１は、電圧検知部１５０あるいは電流検知部１５１でＤＣ電圧あるいは電流を検知する場合に、ＡＣ成分による誤検知を防ぐためのものである。
【００３６】
直流捕捉回路１５２は、図２に示すように、トランジスタや抵抗などにより構成され、直流捕捉を行いながら回線電流を調整することにより、ＳＤＡＡ１０４の制御で直流インピーダンスの調整を行う。直流捕捉回路１５２は、回線開放状態を作り出したり、回線に対する選択信号の１種であるダイヤルパルス送出にも使用される。
【００３７】
整流回路１５５は、ダイオードブリッジ等からなり、回線電圧を整流してＳＤＡＡ１０４側へと伝えるものである。
【００３８】
送受信ＩＦ回路１５３は、通信回線１３０を介してファクシミリ信号などを送受信するためのインターフェースである。
【００３９】
交流インピーダンス整合回路１５４は、通信中の交流インピーダンスを合わせるための回路であり、例えば、交流インピーダンスを６００Ωに合わせる。ノイズ除去回路１５６は、通信回線１３０からの雷サージ、電磁ノイズなどを抑制する一方、ファクシミリ装置１００のノイズが通信回線１３０を介して送出されることを防ぐ回路である。
【００４０】
ＣＩ検知回路１０８は、フォトカプラ等で構成され、通信回線１３０から受信した呼出信号（ＣＩ信号）を検知する。ＣＩ検知回路１０８は、ＣＩ信号を検知するとＣＩ検知信号１０９をＳＯＣ１０１に対して送信する。ＳＯＣ１０１は、受信したＣＩ検知信号１０９に基づいて、通信回線１３０からＣＩ信号の着信があったか否かを判断することができる。
【００４１】
ＰＳＴＮ交換機２１０は、ＤＣ４８Ｖ程度に重畳したＡＣ７５ＶｒｍｓのＣＩ信号を通信回線１３０を介してファクシミリ装置１００へ送出する。
【００４２】
Ｈリレー１１０は、フック検知回路１１７を介して接続される外付け電話機１２８を擬似ＣＩ送出回路１１６あるいは通信回線１３０に接続するための回路であり、ＳＯＣ１０１からのＨリレー駆動信号１１１によって制御される。このＨリレー１１０は、外付け電話機１２８を通信回線１３０へ接続した接続状態に切り替えたり、通信回線１３０から切断した切断状態に切り替えたりする。なお、図１に示すように、Ｈリレー１１０で外付け電話機が通信回線１３０から切り離されている場合、ＣＩ信号を検知しても外付け電話機１２８は鳴動しない。いわゆるファクシミリ装置１００の無鳴動着信状態となる。
【００４３】
擬似ＣＩ送出回路１１６は、外付け電話機１２８にフック検知電圧あるいは外付け電話機を鳴動させる擬似ＣＩ信号を供給する回路である。
【００４４】
フック検知回路１１７には、フォトカプラ等を用いることができ、外付け電話機１２８のオフフック又はオンフックを検知する回路である。また、フック検知回路１１７は、外付け電話機１２８のオフフック又はオンフックの検知結果をフック検知信号１１４を用いてＳＯＣ１０１へ伝達する。ＳＯＣ１０１は、フック検知信号１１４に基づいて、外付け電話機１２８におけるフックの状態を判断することができる。
【００４５】
また、フック検知回路１１７は、Ｈリレー１１０によって通信回線１３０に直接接続された場合及び擬似ＣＩ送出回路１１６に接続された場合の何れも、外付け電話機１２８に流れる電流を検知する。通信回線１３０を介して相手側装置からの着信があった場合、ファクシミリ装置１００がＳＤＡＡ１０４を制御して一度直流捕捉した後、ファクシミリ受信であることを示すＣＮＧ信号を検知できないときに、外付け電話機１２８を鳴動させる。そのため、ＰＳＴＮ交換機２１０から送出されるＣＩ信号に似せた擬似的なＣＩ信号を外付け電話機１２８に対して送り、外付け電話機１２８を鳴動させる。
【００４６】
擬似ＣＩ送出回路１１６は、ＳＯＣ１０１からの擬似ＣＩ駆動信号１１５による送出指示に応じて、擬似ＣＩ信号を外付け電話機１２８に対して送出する。また、擬似ＣＩ送出回路１１６は、ＳＯＣ１０１からの擬似ＣＩ駆動信号１１５による送出指示に応じて、外付け電話機１２８のフック検知用ＤＣ電圧（＋２４Ｖ程度）を外付け電話機１２８に対して送出するよう切替えることが可能である。
【００４７】
ところで、上述したように、ビジネスホンの電源は５０Ｖ程度の直流電圧を定電圧供給するが、その内部抵抗が１０Ω程度しかなくかつ線路抵抗は約０Ωとみなせるため、局側交換機の供給電源に比べてかなり大きな供給能力がある。
【００４８】
図１１は、従来のビジネスホンシステムの概略構成を示すブロック図である。
【００４９】
２００１は光ネットワークである。２００２は回線終端装置であり、光信号をＬＡＮなどの電気信号に変更するユニットである。なお、２００１を光ネットワークとして説明しているが、ＩＳＤＮ（Ｉｎｔｅｇｒａｔｅｄ  Ｓｙｓｔｅｍ  Ｄｉｇｉｔａｌ  Ｎｅｔｗｏｒｋ）やその他の回線を用いることも可能である。
【００５０】
２００３は、ビジネスホンシステムの主装置である。２００４はビジネスホン専用の電話機（ビジネスホン端末）である。２００５は、ＰＳＴＮ用のファクシミリ装置である。
【００５１】
２００６は、ビジネスホン端末２００４を接続するためのビジネスホン接続ユニットである。２００７は、ファクシミリ装置あるいは電話機を接続するためのＦＡＸ／ＴＥＬ接続ユニットである。
【００５２】
２００９は、ビジネスホン端末２００４とビジネスホン接続ユニット２００６を接続するためのＩＦである。２０１０は、ＦＡＸ／ＴＥＬ接続ユニット２００７とファクシミリ装置２００５を接続するためのＩＦである。
【００５３】
ＩＦ２０１０，２００９は、上述したＲＪ１１という同じモジュラージャックコネクタが用いられている。また、同じ信号ピンが使用されている。ＩＦ２０１０からの電流は、ＰＳＴＮの技術基準に基づいて約２０ｍＡ〜１２０ｍＡの範囲で制限されている一方、ＩＦ２００９からの電流は、そういったＰＳＴＮと同様の制限はなく、ＰＳＴＮの４倍以上の約６００ｍＡの電流が流れる場合もある。
【００５４】
図１に示すファクシミリ装置１００がＩＦ２００９に誤って接続されてオフフックすると、直流インピーダンスを調整するが、内部抵抗が１０Ω程度しかないため、ほとんど電圧降下しない。例えば、２００ｍＡの電流が流れたとしても２Ｖ（＝２００ｍＡ×１０Ω）しか電圧降下せず、図１におけるＬ１〜Ｌ２間の回線間電圧は４８Ｖと高いままである。つまり、ファクシミリ装置１００がオフフックすると、ＳＤＡＡ１０４が直流捕捉回路１５２を制御して一時的に低インピーダンスにする。そのときにファクシミリ装置１００におけるＬ１〜Ｌ２間の回線間電圧は上記のように高いままで、非常に大きな電流が流れる。
【００５５】
オフフック後に電圧降下するといった前提から外れた高い回線間電圧が印加され続け、規定のＤＣ−ＶＩ特性を満足できず、非常に大きな電流が流れ続けるとファクシミリ装置の許容範囲を超えるため、故障が発生する。そこで、ファクシミリ装置を保護するために、ＳＤＡＡ１０４が過電流を一定時間検知すると、直流捕捉回路１５２を制御して回線を開放する。
【００５６】
図２は、図１における直流捕捉回路１５２の概略構成を示すブロック図である。
【００５７】
ファクシミリ装置１００には、局側のＰＳＴＮ交換機２１０から４８Ｖ程度の直流電圧で電源供給されている。すなわち、通信回線１３０に接続された直流捕捉回路１５２に対して４８Ｖの直流電圧が線路抵抗を介して供給される。
【００５８】
直流捕捉回路１５２は、図２に示すように、内部の直流インピーダンスが可変できる回路で構成され、ＳＤＡＡ１０４の制御によりＰＳＴＮ交換機２１０より供給される電流の電流値Ｉを調整する。具体的には、ＳＤＡＡ１０４の制御により直流捕捉回路１５２の直流インピーダンスＺを高くすると回線電流が少なくなり、直流インピーダンスＺを低くすると回線電流が大きくなる。
【００５９】
ＳＤＡＡ１０４は、直流捕捉回路１５２の端子間の電圧や電流を監視して、規定された直流的な電圧Ｖと電流Ｉの特性（ＤＣ−ＶＩ特性）に適合するよう、直流捕捉回路１５２の直流インピーダンスＺ（ＺはＶ／Ｉで表される）を調整する。
【００６０】
ファクシミリ装置１００の直流捕捉を開始したときにファクシミリ装置１００のＬ１〜Ｌ２間の回線間電圧は、線路抵抗（数百〜数キロΩ）で大幅に電圧降下する。そして、電圧降下することを前提にして、規定のＤＣ−ＶＩ特性を満足するよう直流インピーダンスは制御される。例えば、ファクシミリ装置１００のＬ１〜Ｌ２間の回線間電圧は、直流捕捉前にＤＣ４８Ｖでも、直流捕捉後に電圧降下で約８Ｖに低下したとする。そのとき、ファクシミリ装置１００の直流捕捉回路１５２を含めた直流インピーダンスは、直流捕捉前に１ＭΩ以上でも、直流捕捉後に数十Ωから数百Ωに低下するようＳＤＡＡ１０４が制御する。
【００６１】
図３は、図１におけるレジスタ２０６に格納される情報の一例を示す図である。
【００６２】
過電流保護機能指示フラグ５０２は、オフフック時にＳＤＡＡ１０４が過電流を一定時間検知すると、直流捕捉回路１５２を制御して回線を開放する過電流保護機能を働くようにするか、働かないようにするかを指示するためのフラグである。ここで過電流を検知したとみなす一定時間は、早く保護を行いたいのでなるべく短く設定するのが好ましく、例えば５０ｍｓに設定される。また、一定時間の間隔（例えば２５ｍｓ）で回線電流値を監視して規定回数しきい値を超えたかどうかで過電流検知と判断することができる。
【００６３】
回線電流モニタ値５０３は、ＳＤＡＡ１０４で検知された電流値を保持するレジスタ値である。
【００６４】
回線電圧モニタ値５０４は、ＳＤＡＡ１０４で検知された電圧値を保持するレジスタ値である。
【００６５】
過電流による電話回線切断表示フラグ５０５は、ＳＤＡＡ１０４で検知された電流値が電話回線切断電流しきい値５０７を一定時間超えたときに回線切断、すなわちオンフックに移行したことを示すフラグである。
【００６６】
オフフック／オンフック指示フラグ５０６は、ＳＯＣ１０１からの指示で、ＳＤＡＡ１０４が直流捕捉すなわちオフフックに移行するか、もしくは、回線切断すなわちオンフックに移行するかを指示するためのフラグである。
【００６７】
電話回線切断電流しきい値５０７は、ファクシミリ装置１００の保護のための電話回線を切断する回線電流のしきい値を設定するレジスタ値である。電話回線切断電流しきい値５０７には、例えば１５０ｍＡが設定される。但し、上記過電流保護機能を常に働くよう制御しているとＰＳＴＮ交換機を接続したときに問題が発生する可能性がある。上述したように、ＰＳＴＮ交換機の種類によってはＣＩ信号の送出後に、ファクシミリ装置の直流捕捉を検知してからＣＩ信号を停止するまでの時間が数百ｍｓと遅い場合がある。これは、いわゆるＰＳＴＮ交換機の残留ＣＩである。
【００６８】
なお、本実施形態ではＰＳＴＮ交換機としたが、ＰＢＸやＦＡＸ／ＴＥＬ接続ユニット２００７、ターミナルアダプタのアナログポートでも同様である。
【００６９】
図１２（ａ）は、従来のＰＳＴＮ交換機の残留ＣＩにより過電流保護機能が働いて回線捕捉が失敗したときの回線電圧波形の一例を示す図であり、縦軸が回線電圧、横軸が時間である。
【００７０】
図１２（ｂ）は、従来のＰＳＴＮ交換機の残留ＣＩにより過電流保護機能が働いて回線捕捉が失敗したときの回線電流波形の一例を示す図であり、縦軸が回線電流、横軸が時間である。
【００７１】
オフフックした直後、ファクシミリ装置側は低インピーダンスなので、もし残留ＣＩが長く残ってしまうとＦＡＸモデムに設定した過電流しきい値を回線電流が一定時間超えてしまい過電流保護機能が作動して、ファクシミリ受信に毎回失敗してしまう。
【００７２】
最初にＤＣ４８ＶにＡＣ７５Ｖｒｍｓが１秒オン（図１２（ａ）に示す区間３１）、２秒オフ（図１２（ａ）に示す区間３２）の繰り返しで重畳されたＣＩ信号がＰＳＴＮ交換機から送出される。ＡＣ７５Ｖｒｍｓの周波数は交換機により例えば１６〜２５Ｈｚと異なる。そして、ＳＤＡＡ１０４が図１２（ａ）の３３のタイミングでオフフックし直流捕捉回路１５２が低インピーダンスになっても、ＰＳＴＮ交換機２１０から送出されるＣＩ信号は瞬時に停止しない。
【００７３】
残留ＣＩを図１２（ａ）の区間３４（数百ｍｓ）送出した後にＣＩ信号の送出を停止する。そして、残留ＣＩがもし定電圧出力のＡＣ７５Ｖｒｍｓとすると、それが低インピーダンスとなった直流捕捉回路１５２（例えば直流６００Ωとする）に印加され、ピーク値では約１７７ｍＡ＝（７５＊１．４２）／６００が回線電流としてＣＩの周波数で流れる。図１２（ｂ）の残留ＣＩによる過電流４１に示すように上記ピーク値はＤＣ４８Ｖを直流捕捉した回線電流に重畳して流れる。
【００７４】
図１２（ａ）と図１２（ｂ）はファクシミリ装置１００のＬ１〜Ｌ２間の回線電圧と回線電流であって、実際にＳＤＡＡ１０４が検知するのは、整流回路１５５の後段なので、整流後の波形である。その回線電流が電話回線切断電流しきい値５０７を繰り返し超えると、ＳＤＡＡ１０４は過電流を検知したと判断する。ＳＤＡＡ１０４から直流捕捉回路１５２を制御し、高いインピーダンスに戻してオンフックしファクシミリ装置１００を保護し、過電流による電話回線切断表示フラグ５０５が切断表示に変化する。オンフックに戻った時に回線電圧は図１２（ａ）の３５のようにＤＣ４８Ｖに、回線電流は図１２（ｂ）の４２のように０ｍＡに戻る。このように残留ＣＩで保護機能が作動するとファクシミリ受信に失敗する可能性がある。
【００７５】
図４は、本発明の第１の実施形態におけるＳＯＣ１０１による制御処理の流れを示すフローチャートである。
【００７６】
ファクシミリ装置１００は、電源が投入されて初期化が終了し、スタンバイ状態にあるものとする。ＳＯＣ１０１は、プログラムやメモリ１４０から読み出した設定に従ってモデム１０２やＳＤＡＡ１０４のリセット及び初期設定を終了し、スタンバイ状態にあるものとする。モデム１０２やＳＤＡＡ１０４のリセットが行われると、レジスタ２０６の値はデフォルト値に戻る。例えば、レジスタ２０６内の過電流による電話回線切断表示フラグ５０５は立っていない状態に戻る。ＳＯＣ１０１は、メモリ１４０から読み出した設定に従い、レジスタ２０６内の過電流保護機能指示フラグ５０２と電話回線切断電流しきい値５０７の値を書き換えてもよいし、デフォルト値のままとしてもよい。また、電話回線切断電流しきい値５０７の初期値をサービスマンが適切な値に変更して保存することも可能である。
【００７７】
ステップＳ６０２では、ＳＯＣ１０１は、ＣＩ検知回路１０８から入力されたＣＩ検知信号１０９がＣＩ信号か、操作パネル１１８を介してＦＡＸ送信指示を受け付けたか、オフフックの指示を検知したかを判断する。いずれにも該当しないと判断した場合にはそのまま待機するが、いずれかに該当する場合には、ステップＳ６０３へ進む。
【００７８】
ステップＳ６０３では、ＳＯＣ１０１は、ＣＩ信号が検知されたと判断するとステップＳ６０４へ移行する。そうでなければ、ＦＡＸ送信指示あるいはオフフック指示が行われたと判断して、ステップＳ６０７へ移行する。
【００７９】
ステップＳ６０４では、ＳＯＣ１０１は、レジスタ２０６内の過電流保護機能指示フラグ５０２の値を、過電流保護機能が働かないようにするための値に書き換える。なぜなら、ＣＩ信号が送出されるということは、ファクシミリ装置１００はビジネスホン端末ではなく、ＰＳＴＮ交換機あるいは同等のＰＢＸ等の装置と接続されていると判別できるからである。そして、ビジネスホン端末から過電流が流れることも無いので、残留ＣＩによるオフフックの失敗を抑止すべく、ＳＯＣ１０１は過電流保護機能が働かないよう制御する。なお、既に過電流保護機能指示フラグ５０２が設定済みの場合、上書きしても、現在の値を維持してもよい。そして、ＳＯＣ１０１の処理はステップＳ６０５へ移行する。
【００８０】
ステップＳ６０５では、ＳＯＣ１０１は、レジスタ２０６内のオフフック／オンフック指示フラグ５０６の値を、オフフックする値に書き換える。その結果、ＳＤＡＡ１０４が直流捕捉回路１５２を制御してオフフックを行う。
【００８１】
図５は、ファクシミリ受信時に過電流保護機能を働かないよう制御することでＰＳＴＮ交換機の残留ＣＩが所定時間以上残っても回線捕捉に成功したときの回線電圧波形の一例を示す図であり、縦軸が回線電圧、横軸が時間である。
【００８２】
最初に、ＤＣ４８ＶにＡＣ７５Ｖｒｍｓが１秒オン（図５に示す区間７１）、２秒オフ（図５に示す区間７２）の繰り返しで重畳されたＣＩ信号がＰＳＴＮ交換機から送出される。そして、ＳＤＡＡ１０４が図５の７３のタイミングでオフフックし、直流捕捉回路１５２が低インピーダンスになっても、ＰＳＴＮ交換機から送出されるＣＩ信号は瞬時に停止しない。残留ＣＩが図５の７４の区間（数百ｍｓ）送出された後にＣＩ信号の送出が停止する。そして、残留ＣＩが定電圧出力のＡＣ７５Ｖｒｍｓとすると、それが低インピーダンスとなった直流捕捉回路１５２（例えば直流６００Ωとする）に印加され、ピーク値では約１７７ｍＡ＝（７５＊１．４２）／６００が回線電流としてＣＩの周波数で流れる。過電流保護機能は働かないよう制御するので、過電流による電話回線切断は起こらない。なお、残留ＣＩによる電流は短時間で終了するため、ＳＤＡＡ１０４と直流捕捉回路１５２は破壊しない。図５の７５のタイミングで残留ＣＩの送出が終了すると、ＳＤＡＡ１０４がＤＣ−ＶＩ特性を満たすよう直流捕捉回路１５２を制御して、一定の直流インピーダンスに調整して図５の７６の区間に示すように直流捕捉が成功する。
【００８３】
図４に戻り、ステップＳ６０６では、ＳＯＣ１０１は、モデム１０２を制御してファクシミリ受信を行う。受信が終了すると、ＳＯＣ１０１は、レジスタ２０６内のオフフック／オンフック指示フラグ５０６の値を書き換えて、オンフックを指示する。そして、受信した画像データをメモリ１４０に蓄積し、設定に応じて記録部１２２で印刷して、本処理を終了する。
【００８４】
ステップＳ６０７では、ＳＯＣ１０１は、メモリ１４０から読み出した設定に従い、レジスタ２０６内の電話回線切断電流しきい値５０７の値を書き換えて、過電流とみなすしきい値を設定する。例えば、電話回線切断電流しきい値５０７の値が１５０ｍＡに書き換えられる。なお、この電話回線切断電流しきい値８０７の値をサービスマン等が書き換えることも可能である。既に電話回線切断電流しきい値８０７が設定済みの場合、設定済みの値に上書きしてもよいし、設定されている現在の値を維持する構成でもよい。
【００８５】
次に、ステップＳ６０８では、ＳＯＣ１０１は、レジスタ２０６内の過電流保護機能指示フラグ５０２の値を、過電流保護機能が働くように書き換える。なぜなら、ＣＩ信号が来ていない状態では、ファクシミリ装置１００がビジネスホン端末用ＩＦに接続されている可能があるからである。ステップＳ６０８のフラグの値の書き換えの際に、既に過電流保護機能指示フラグ５０２が設定済みの場合は、設定済みの値に上書きしてもよいし、設定されている現在の値を維持する構成でもよい。
【００８６】
ステップＳ６０９では、ＳＯＣ１０１は、レジスタ２０６内のオフフック／オンフック指示フラグ５０６の値を、オフフックするように書き換える。その結果、ＳＤＡＡ１０４が直流捕捉回路１５２を制御してオフフックを行う。過電流保護機能が働くように制御しているので、ビジネスホン端末用ＩＦに接続されている状態でオフフックが行われると、過電流保護機能が作動してオンフックに戻る。そして、過電流による電話回線切断表示フラグ５０５が切断を示す状態に変更される。一方、過電流保護機能が作動しない場合、過電流による電話回線切断表示フラグ５０５は立たない。
【００８７】
図６（ａ）は、ビジネスホンシステム主装置に対する誤接続時に送信またはオフフックで過電流保護機能が働いたときの回線電圧波形の変化の一例を示す図であり、縦軸が回線電圧、横軸が時間である。
【００８８】
図６（ａ）に示すように、ビジネスホンの信号は、ＰＳＴＮ交換機の信号とは異なり、交流成分１００１と直流成分１００２が含まれている。直流成分１００２の電圧値は約５０ＶのＤＣ電圧であり、この直流成分１００２に約１０Ｖｐ−ｐの断続的な交流成分１００１の交流信号が重畳されている。
【００８９】
ビジネスホンシステム主装置にビジネスホン端末が接続された場合、上述の電圧値はほとんど変わらず、交流成分１００１はビジネスホン端末とビジネスホン接続ユニット間でのデータのやり取りを行う独自の信号となる。例えば、ビジネスホン端末に対して着信があった場合でも、ビジネスホン接続ユニットからはＰＳＴＮ交換機のＣＩ信号は送られず、独自の信号で着信を伝達している。また、ビジネスホン端末のハンドセットが上がった状態（いわゆるオフフック）では、ビジネスホン端末は、直流抵抗で回線捕捉するということは行わずに、オフフックに相当する独自の信号を送出する。過電流保護機能を働くよう制御しているときに、ビジネスホン端末用ＩＦに接続されているファクシミリ装置１００で図６（ａ）の１００３のタイミングでオフフックが行われたとする。その結果、ＳＤＡＡ１０４が直流捕捉回路１５２を制御して過電流が流れて回線電圧が一定の電圧だけ降下する。そのときの電圧降下はビジネスホン端末用ＩＦの直流抵抗が１０Ω程度であることから、例えば過電流が２００ｍＡでも、電圧降下は２Ｖで、ほとんど電圧が降下しない。図６（ａ）の１００４のタイミングで過電流保護機能が作動してオンフックに戻る。
【００９０】
図６（ｂ）は、ＰＳＴＮ交換機接続時に送信またはオフフックで回線捕捉に成功したときの回線電圧波形の変化の一例を示す図であり、縦軸が回線電圧、横軸が時間である。
【００９１】
最初に、ＤＣ４８Ｖ（図６（ｂ）の９００１）の回線電圧がＰＳＴＮ交換機から印加される。そして、ＳＤＡＡ１０４が図６（ｂ）の９００２のタイミングでオフフックして、直流捕捉回路１５２が低インピーダンスになっても過電流は流れないため、過電流保護機能は作動しない。そして、ＳＤＡＡ１０４がＤＣ−ＶＩ特性を満たすよう直流捕捉回路１５２を制御して、一定の直流インピーダンスに調整して、図６（ｂ）の９００３に示すように直流捕捉が成功する。
【００９２】
図４に戻り、ステップＳ６１０では、ＳＯＣ１０１は、レジスタ２０６内の過電流による電話回線切断表示フラグ５０５の値を読み出して過電流を検知したかを判断する。過電流を検知したときはステップＳ６１１へ移行する。一方、過電流を検知していなければステップＳ６１２へ移行する。
【００９３】
ステップＳ６１１では、ＳＯＣ１０１はエラー処理を行って本処理を終了する。このエラー処理では、例えば操作パネル１１８の表示器１１９に「通信エラー：エラーコードＸＸ  接続回線をご確認ください。正常回線に接続後、電源をＯＦＦ／ＯＮしてください。」のような通知をユーザに促すことが可能である。または「通信エラー：エラーコードＸＸ  接続回線の変更を確認できません。正常回線に接続後、オフフックキーを押してください。」のような通知をユーザに促すことが可能である。なお、特に何も表示しなくてもよい。
【００９４】
ステップＳ６１２では、ＳＯＣ１０１は、ユーザの指示がＦＡＸ送信指示であった場合、ステップＳ６１３へ移行する。一方、ユーザの指示がオフフックであれば、ステップＳ６１４へ移行する。
【００９５】
ステップＳ６１３では、ＳＯＣ１０１は、ユーザに指示された宛先へ読み取った原稿をＦＡＸ送信し、送信が終了すれば、レジスタ２０６内のオフフック／オンフック指示フラグ５０６の値を、オンフックを指示する書き換えを行い、本処理を終了する。
【００９６】
ステップＳ６１４では、ＳＯＣ１０１は、操作パネル１１８の表示器１１９にオフフック中であることを表示し、ユーザに宛先入力を促す。そして、入力された宛先へダイヤルするため、パルスあるいはＤＴＭＦを送出し、相手と接続後に相手側音声を操作パネル１１８のスピーカから聞くことができる。ユーザが手動送信を指示すればＦＡＸの手動送信処理を行う。手動送信が終了するか、あるいはユーザがオンフックを指示すれば、ＳＯＣ１０１は、レジスタ２０６内のオフフック／オンフック指示フラグ５０６の値を、オンフックを指示する書き換えを行い、本処理を終了する。
【００９７】
次に、図７を用いてＤＳＰ２０５の過電流検知処理について説明する。
【００９８】
図７は、ＤＳＰ２０５の過電流検知処理の流れを示すフローチャートである。
【００９９】
ＤＳＰ２０５は、初期化が完了したスタンバイ状態とする。
【０１００】
ステップＳ５０２では、ＤＳＰ２０５は、電話回線切断電流しきい値５０７の値を過電流のしきい値とし、過電流保護機能指示フラグ５０２の値に応じて、過電流保護機能を作動させるか否かを切り替える。
【０１０１】
次に、ステップＳ５０３では、ＤＳＰ２０５は、オフフック／オンフック指示フラグ５０６を参照し、オフフック指示を検知して、ステップＳ５０４へ移行する。
【０１０２】
次に、ステップＳ５０４では、ＤＳＰ２０５は、ＳＤＡＡ１０４による直流捕捉回路１５２の制御により、直流インピーダンス調整に移行してオフフック処理を行う。その際、ＤＳＰ２０５は、ＳＤＡＡ１０４を制御してＡＣフィルタ部２０１をイネーブルすることや電話回線上のＤＣ電圧を電圧検知部１５０で検知すること、電流検知部１５１で回線電流を検知することも行う。
【０１０３】
次に、ステップＳ５０５では、ＤＳＰ２０５は、電流検知部１５１で回線電流値を検知し、その値が電話回線切断電流しきい値５０７を超えているかを一定時間の間隔（例えば２５ｍｓ）で監視して、該しきい値を規定回数超えたかどうかを判断する。その結果、回線電流値がしきい値を超えていた場合には過電流検知と判断して、ステップＳ５０６へ移行する。一方、回線電流値がしきい値を超えていなかった場合には過電流を検知していないと判断して、ステップＳ５０７へ移行する。
【０１０４】
ステップＳ５０６では、ＤＳＰ２０５は、過電流による電話回線切断表示フラグ５０５を立てて、ステップＳ５０８へ移行する。
【０１０５】
ステップＳ５０７では、ＤＳＰ２０５は、オフフック／オンフック指示フラグ５０６の値を参照し、ＳＯＣ１０１からオンフック指示があったかを判断する。ＳＯＣ１０１がオフフック／オンフック指示フラグ５０６の値を書き換えてオンフックを指示した場合は、ＤＳＰ２０５はオンフック指示があったと判断してステップＳ５０８へ移行する。一方、ＳＯＣ１０１からのオンフック指示が無いと判断した場合はステップＳ５０５へ戻る。
【０１０６】
ステップＳ５０８では、ＤＳＰ２０５は、ＳＤＡＡ１０４による直流捕捉回路１５２の制御により、直流インピーダンスを１ＭΩ以上にしてオンフック処理を行った後、スタンバイ状態に戻る。
【０１０７】
以上説明したように、ＰＳＴＮ交換機よりＣＩ信号が送出されたことを検知した場合、過電流保護機能が働かないように制御してからオフフックをモデムへ指示する。その結果、オフフックした直後に残留ＣＩにより過電流保護機能が働くことも無くなるので、ファクシミリ受信の失敗を防止することができる。そして、呼出信号以外のＦＡＸ送信指示やオフフック指示（等のオフフック要因）が検知されたときには過電流保護機能が働くように制御してからオフフックを行う。その結果、ビジネスホンシステム主装置にファクシミリ装置を誤接続していた場合でも過電流保護機能が働くので、ファクシミリ装置の回路を保護することができるという効果がある。
【０１０８】
［第２の実施形態］
本発明の第２の実施の形態では、図１〜図３に示す構成が上記第１の実施の形態と同じであり、第１の実施の形態と同様の部分については、同一の符号を用いてその説明を省略する。以下に、上記第１の実施の形態と異なる点のみを説明する。
【０１０９】
図８は、本発明の第２の実施形態におけるＳＯＣ１０１による制御処理の流れを示すフローチャートである。なお、図８に示す処理は、図４に示す処理に対して、ステップＳ１２０２，Ｓ１２０３が追加され、ステップＳ６０７，Ｓ６０８が削除されている。それ以外はステップ番号を振り直しただけで他のステップは同じである。
【０１１０】
ファクシミリ装置１００は、電源が投入されて初期化が終了し、スタンバイ状態にあるものとする。ＳＯＣ１０１は、プログラムやメモリ１４０から読み出した設定に従ってモデム１０２やＳＤＡＡ１０４のリセット及び初期設定を終了し、スタンバイ状態にあるものとする。モデム１０２やＳＤＡＡ１０４のリセットが行われると、レジスタ２０６の値はデフォルト値に戻る。
【０１１１】
ステップＳ１２００では、ＳＯＣ１０１は、メモリ１４０から読み出した設定に従い、レジスタ２０６内の電話回線切断電流しきい値５０７の値を書き換えて、過電流とみなすしきい値を設定する。例えば、電話回線切断電流しきい値５０７が１５０ｍＡに書き換えられる。なお、この電話回線切断電流しきい値５０７の初期値をサービスマンが適切な値に変更して保存することも可能である。
【０１１２】
次に、ステップＳ１２０１では、ＳＯＣ１０１は、メモリ１４０から読み出した設定に従い、レジスタ２０６内の過電流保護機能指示フラグ５０２の値を、過電流保護機能が働くよう制御するために書き換える。
【０１１３】
次に、ステップＳ１２０２では、ＳＯＣ１０１は、ＣＩ検知回路１０８から入力されたＣＩ検知信号１０９がＣＩ信号か、操作パネル１１８を介してＦＡＸ送信指示を受け付けたか、オフフックの指示を検知したかを判断する。いずれにも該当しないと判断した場合にはそのまま待機するが、いずれかに該当する場合には、ステップＳ１２０３へ進む。
【０１１４】
ステップＳ１２０３では、ＳＯＣ１０１は、ＣＩ信号が検知されたと判断するとステップＳ１２０４へ移行する。そうでなければ、ＦＡＸ送信指示あるいはオフフック指示が行われたと判断して、ステップＳ１２０９へ移行する。
【０１１５】
次に、ステップＳ１２０４では、ＳＯＣ１０１は、レジスタ２０６内の過電流保護機能指示フラグ５０２の値を、過電流保護機能を働かないよう制御するための値に書き換えて、ステップＳ１２０５へ移行する。
【０１１６】
次に、ステップＳ１２０５では、ＳＯＣ１０１は、レジスタ２０６内のオフフック／オンフック指示フラグ５０６の値を、オフフックする値に書き換える。その結果、ＳＤＡＡ１０４が直流捕捉回路１５２を制御してオフフックを行う。
【０１１７】
次に、ステップＳ１２０６では、ＳＯＣ１０１は、モデム１０２を制御してファクシミリ受信を行う。受信が終了すると、ＳＯＣ１０１は、レジスタ２０６内のオフフック／オンフック指示フラグ５０６の値を書き換えて、オンフックを指示する。そして、受信した画像データをメモリ１４０に蓄積し、設定に応じて記録部１２２で印刷して，本処理を終了する。
【０１１８】
ステップＳ１２０９では、ＳＯＣ１０１は、レジスタ２０６内のオフフック／オンフック指示フラグ５０６の値を、オフフックするように書き換える。その結果、ＳＤＡＡ１０４が直流捕捉回路１５２を制御してオフフックを行う。過電流保護機能が働くように制御しているので、ビジネスホン端末用ＩＦに接続されている状態でオフフックが行われると、過電流保護機能が作動してオンフックに戻る。そして、過電流による電話回線切断表示フラグ５０５が切断を示す状態に変更される。一方、過電流保護機能が作動しない場合、過電流による電話回線切断表示フラグ５０５は立たない。
【０１１９】
ステップＳ１２１０では、ＳＯＣ１０１は、レジスタ２０６内の過電流による電話回線切断表示フラグ５０５の値を読み出して過電流を検知したかを判断する。過電流を検知したときはステップＳ１２１１へ移行する。一方、過電流を検知していなければステップＳ１２１２へ移行する。
【０１２０】
ステップＳ１２１１では、ＳＯＣ１０１はエラー処理を行って本処理を終了する。ステップＳ１２１１では、ステップＳ６１１と同様のエラー処理が実施される。
【０１２１】
ステップＳ１２１２では、ＳＯＣ１０１は、ユーザの指示がＦＡＸ送信指示であった場合、ステップＳ１２１３へ移行し、図４のステップＳ６１３と同様の処理を実施して本処理を終了する。一方、ユーザの指示がオフフックであれば、ステップＳ１２１４へ移行し、図４のステップＳ６１４と同様の処理を実施して、本処理を終了する。
【０１２２】
以上説明したように、第２の実施形態によれば、上記第１の実施形態における効果と同様の効果を奏する。
【０１２３】
［第３の実施形態］
本発明の第３の実施の形態では、図１〜図３に示す構成が上記第１の実施の形態と同じであり、第１の実施の形態と同様の部分については、同一の符号を用いてその説明を省略する。以下に、上記第１の実施の形態と異なる点のみを説明する。
【０１２４】
図９は、本発明の第３の実施形態におけるＳＯＣ１０１による制御処理の流れを示すフローチャートである。なお、図９に示す処理は、図４に示す処理に対して、ステップＳ１３０１が追加され、ステップＳ６０４に相当するステップが削除されている。それ以外はステップ番号を振り直しただけで他のステップは同じである。
【０１２５】
ファクシミリ装置１００に電源が投入され、初期化が終了し、スタンバイ状態にあるとする。ＳＯＣ１０１は、プログラムやメモリ１４０から読み出した設定に従ってモデム１０２やＳＤＡＡ１０４のリセット及び初期設定が終了し、スタンバイ状態にあるとする。モデム１０２やＳＤＡＡ１０４のリセットを行われると、レジスタ２０６の値はデフォルト値に戻る。
【０１２６】
ステップＳ１３０１では、ＳＯＣ１０１は、メモリ１４０から読み出した設定に従い、レジスタ２０６内の過電流保護機能指示フラグ５０２の値を、過電流保護機能が働かないよう制御するために書き換える。
【０１２７】
次に、ステップＳ１３０２では、ＳＯＣ１０１は、ＣＩ検知回路１０８から入力されたＣＩ検知信号１０９がＣＩ信号か、操作パネル１１８を介してＦＡＸ送信指示を受け付けたか、オフフックの指示を検知したかを判断する。いずれにも該当しないと判断した場合にはそのまま待機するが、いずれかに該当する場合には、ステップＳ１３０３へ移行する。
【０１２８】
ステップＳ１３０３では、ＳＯＣ１０１は、ＣＩ信号が検知されたと判断するとステップＳ１３０５へ移行する。そうでなければ、ＦＡＸ送信指示あるいはオフフック指示が行われたと判断して、ステップＳ１３０７へ移行する。
【０１２９】
ステップＳ１３０５では、ＳＯＣ１０１は、レジスタ２０６内のオフフック／オンフック指示フラグ５０６の値を、オフフックする値に書き換える。その結果、ＳＤＡＡ１０４が直流捕捉回路１５２を制御してオフフックを行う。
【０１３０】
次に、ステップＳ１３０６では、ＳＯＣ１０１は、モデム１０２を制御してファクシミリ受信を行う。受信が終了すると、ＳＯＣ１０１は、レジスタ２０６内のオフフック／オンフック指示フラグ５０６の値を書き換えて、オンフックを指示する。そして、受信した画像データをメモリ１４０に蓄積し、設定に応じて記録部１２２で印刷して、本処理を終了する。
【０１３１】
ステップＳ１３０７では、ＳＯＣ１０１は、メモリ１４０から読み出した設定に従い、レジスタ２０６内の電話回線切断電流しきい値５０７を書き換えて、過電流とみなすしきい値を設定する。例えば、電話回線切断電流しきい値５０７の値が１５０ｍＡに書き換えられる。
【０１３２】
次に、ステップＳ１３０８では、ＳＯＣ１０１は、レジスタ２０６内の過電流保護機能指示フラグ５０２の値を、過電流保護機能が働くように書き換える。
【０１３３】
次に、ステップＳ１３０９では、ＳＯＣ１０１は、レジスタ２０６内のオフフック／オンフック指示フラグ５０６の値を、オフフックするように書き換える。その結果、ＳＤＡＡ１０４が直流捕捉回路１５２を制御してオフフックを行う。過電流保護機能が働くよう制御しているので、ビジネスホン端末用ＩＦに接続されている状態でオフフックが行われると、過電流保護機能が作動してオンフックに戻る。そして、過電流による電話回線切断表示フラグ５０５が切断を示す状態に変更される。一方、過電流保護機能が作動しない場合、過電流による電話回線切断表示フラグ５０５は立たない。
【０１３４】
ステップＳ１３１０では、ＳＯＣ１０１は、レジスタ２０６内の過電流による電話回線切断表示フラグ５０５の値を読み出して過電流を検知したかを判断する。過電流を検知したときはステップＳ１３１１へ移行する。一方、過電流を検知していなければステップＳ１３１２へ移行する。
【０１３５】
ステップＳ１３１１では、ＳＯＣ１０１はエラー処理を行って本処理を終了する。ステップＳ１３１１では、ステップＳ６１１と同様のエラー処理が実施される。
【０１３６】
ステップＳ１３１２では、ＳＯＣ１０１は、ユーザの指示がＦＡＸ送信指示であった場合、ステップＳ１３１３へ移行し、図４のステップＳ６１３と同様の処理を実施して本処理を終了する。一方、ユーザの指示がオフフックであれば、ステップＳ１３１４へ移行し、図４のステップＳ６１４と同様の処理を実施して、本処理を終了する。
【０１３７】
以上説明したように、第３の実施形態によれば、上記第１の実施形態における効果と同様の効果を奏する。
【０１３８】
［第４の実施形態］
図１０は、本発明の第４の実施形態に係るファクシミリ装置の概略構成を示すブロック図である。
【０１３９】
本発明の第４の実施形態では、ＳＯＣ１０１の制御処理に差は無いが、過電流保護回路２３０が別途専用回路として設けられた所が異なる。過電流保護回路２３０には、従来の過電流保護回路を使用してもよいし、過電流検知回路や遮断リレーを組み合わせた回路を使用してもよい。
【０１４０】
過電流保護回路２３０では、過電流のしきい値を可変あるいは固定とする。また、過電流保護回路２３０を働かせるか、働かせないかの制御はＳＯＣ１０１から絶縁素子１１３を経由した信号で行うことができる。または、ＳＤＡＡ１０４から過電流保護回路２３０を働かせるか、働かせないかの制御を行うよう構成することもできる。
【０１４１】
過電流を検知して過電流保護機能が作動し、電話回線が切断されたかの結果をＳＯＣ１０１あるいはＳＤＡＡ１０４から読み取ることができるよう構成してもよい。過電流保護回路２３０の制御は、ＳＯＣ１０１のみから行うようにしてもよいし、ＳＤＡＡ１０４のみから行うようにしてもよいし、両方から行うようにしても構わない。なお、過電流保護回路２３０の制御をＳＤＡＡ１０４のみから行うように構成した場合、絶縁素子１１３は不要となる。
【０１４２】
過電流による電話回線切断表示フラグ５０５の値の書き換えは、過電流保護回路２３０からの電話回線切断結果の出力信号を利用することで実現される。また、過電流保護機能指示フラグ５０２の値の書き換えは、過電流保護回路２３０への、過電流保護機能を働かせるか働かせないかを制御する入力信号を利用することで実現される。また、電話回線切断電流しきい値５０７の値の書き換えは、過電流保護回路２３０への電話回線切断電流値を設定する入力信号を利用することで実現される。
【０１４３】
以上説明したように、第４の実施形態によれば、上記第１の実施形態における効果と同様の効果を奏する。
【０１４４】
［第５の実施形態］
例えば、ビジネスホンシステムの設置場所が誤接続を生じさせない環境の場合、残留ＣＩによる受信失敗を防止するため、過電流保護機能が一切働かないようにサービスマンが設定を行うようにしてもよい。この場合、サービスマンが操作パネル１１８上で過電流保護機能が働かないように設定すると、当該設定がメモリ１４０（内の不揮発性メモリ）に保存される。
【０１４５】
上記設定がなされると、ＳＯＣ１０１は、図４、図７、図８、図９に示した制御処理を一切実施せず、常に過電流保護機能を働かないように設定して、ファクシミリ装置１００の制御を行う。つまり、過電流保護機能を全く使用しないか、あるいは上記第１〜第４の実施形態を利用して過電流保護機能を使用するかをサービスマンの設定により切り替える。過電流保護機能を全く使用しない場合、ＳＯＣ１０１は、過電流保護機能指示フラグ５０２あるいは過電流保護回路２３０が常に働かないよう設定してオフフックを行う。
【０１４６】
上記第５の実施形態によれば、上記第１の実施形態における効果と同様の効果を奏する。
【０１４７】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【０１４８】
１００  ファクシミリ装置
１０１  ＳＯＣ
１０２  モデム
１０４  ＳＤＡＡ
１０８  ＣＩ検知回路
１５２  直流捕捉回路
２０５  ＤＳＰ
５０２  過電流保護機能指示フラグ
５０７  電話回線切断電流しきい値
【図１】
2015149606.tif 000003
【図２】
2015149606.tif 000004
【図３】
2015149606.tif 000005
【図４】
2015149606.tif 000006
【図５】
2015149606.tif 000007
【図６】
2015149606.tif 000008
【図７】
2015149606.tif 000009
【図８】
2015149606.tif 000010
【図９】
2015149606.tif 000011
【図１０】
2015149606.tif 000012
【図１１】
2015149606.tif 000013
【図１２】
2015149606.tif 000014